(57)【要約】【課題】放送チャンネルごとにユーザの好みに合ったＥＰＧソースのＥＰＧデータを集めた番組表を作成することができる番組記録装置を提供する。【解決手段】放送チャンネルごとのＥＰＧソースの割り当て内容を管理テーブルで管理し、この管理テーブルの内容を基に、放送チャンネルごとに割り当てられたＥＰＧソースからのＥＰＧデータで番組表を作成する。また、もしも一方のＥＰＧソースのＥＰＧデータを取得できない場合には、別のＥＰＧソースのＥＰＧデータで番組表を埋めることができ、番組表を確保することができる。【選択図】図１
2006080799.tif 000002
【特許請求の範囲】
【請求項１】
複数の番組情報提供サービスから提供される番組情報を取得する取得手段と、
前記取得した番組情報を記憶する記憶手段と、
放送チャンネルごとの前記番組情報の提供元である前記番組情報提供サービスの割り当てを管理する管理手段と、
前記管理手段による前記割り当ての内容に基づいて、前記記憶手段に記憶された前記番組情報から前記放送チャンネルごとに割り当てられた前記番組情報提供サービスの番組情報を取り出して番組表を作成する作成手段と、
前記作成された番組表を表示する表示手段と
を具備することを特徴とする番組記録装置。
【請求項２】
前記管理手段は、前記放送チャンネルごとに複数の番組情報提供サービスを割り当てるとともに、これら複数の番組情報提供サービス間での優先順位を管理し、
前記作成手段は、前記管理手段にて管理された優先順位に基づいて前記放送チャンネルごとに１つの番組情報提供サービスの番組情報を選択し、前記番組表を作成することを特徴とする請求項１に記載の番組記録装置。
【請求項３】
前記作成手段は、前記優先順位に基づいて選択すべき番組情報提供サービスの番組情報が前記記憶手段に記憶されていない場合に、次に優先順位の高い番組情報提供サービスの番組情報を選択することを特徴とする請求項２に記載の番組記録装置。
【請求項４】
前記優先順位をユーザからの指令に基づいて変更する変更手段をさらに具備することを特徴とする請求項１ないし４のいずれか１項に記載の番組記録装置。
【請求項５】
取得手段により、複数の番組情報提供サービスから提供される番組情報を取得して記憶手段に記憶するステップと、
放送チャンネルごとの前記番組情報の提供元である前記番組情報提供サービスを割り当てておき、作成手段により、前記記憶手段に記憶された前記番組情報から前記放送チャンネルごとに割り当てられた前記番組情報提供サービスの番組情報を取り出して番組表を作成するステップと、
前記作成された番組表を表示手段により表示するステップと
を具備することを特徴とする番組表作成方法。
【請求項６】
放送チャンネルごとに、複数の番組情報提供サービスを割り当てておくとともに、これら複数の番組情報提供サービス間での優先順位を定義しておき、
前記作成手段により、前記定義された優先順位に基づいて、前記放送チャンネルごとに１つの番組情報提供サービスの番組情報を選択し、前記番組表を作成することを特徴とする請求項５に記載の番組表作成方法。
【請求項７】
前記優先順位に基づいて選択すべき番組情報提供サービスの番組情報が前記記憶手段に記憶されていない場合、前記作成手段により、次に優先順位の高い番組情報提供サービスの番組情報を選択して番組表を作成することを特徴とする請求項６に記載の番組表作成方法。
【請求項８】
変更手段により、前記優先順位をユーザからの指令に基づいて変更するステップをさらに具備することを特徴とする請求項５ないし７のいずれか１項に記載の番組表作成方法。
【発明の詳細な説明】
【技術分野】
【０００１】
本発明は、電子番組ガイドを用いて番組の録画設定を行うことのできる番組記録装置と、その電子番組ガイドの情報から各放送チャンネルの番組表を作成する方法に関する。
【背景技術】
【０００２】
地上波放送や衛星放送などのテレビジョン放送の普及に伴い、テレビジョン放送の放送番組を記録し再生するための番組記録装置が広く普及してきている。番組記録装置は、従来、映像信号および音声信号をテープ媒体などに記録するものが大半であったが、ディジタル信号処理技術の発達により、ハードディスクや光ディスクなどの記録媒体に放送番組をディジタル信号として記録する番組記録装置も登場している。また、一般に番組記録装置はタイマーなどを内蔵しており、あらかじめ日時を指定することで自動的に番組を録画する録画予約機能を備えている。
【０００３】
従来、録画予約のためには、所望の放送番組が放送される日時をユーザ自らがタイマー装置などに設定する必要があった。こうしたユーザの負担を軽減するための方法として、電子番組ガイド（ＥＰＧ：Electronic Program Guide）がある。番組記録装置は、放送波あるいはインターネットより上記ＥＰＧのデータを取得して内部に保存し、このＥＰＧデータから各放送チャンネルごとのデータを取り出して番組表を作成して表示させることができる。表示された番組表の中からユーザによって所望の放送番組が選択されるとともに録画予約が指示されると、番組記録装置はその指示された放送番組の放送局、日時などのデータを、保存しているＥＰＧデータから検索し、録画予約機能に設定する（例えば特許文献１）。
【特許文献１】特開２００４−０８８２８２号公報
【発明の開示】
【発明が解決しようとする課題】
【０００４】
現在、ＥＰＧを配信するサービスには、放送波に重ねてＥＰＧデータを配信するサービス形態のもの、インターネットを通じてＥＰＧデータを配信する形態のもの、その他電話回線を用いたものなどがある。これらサービスは各々に特徴をもっており、たとえば、情報の詳しさ、提供放送チャンネル数などに違いがある。また、特定の放送に特化したサービスもある。
【０００５】
しかしながら、従来の番組記録装置では、装置において固定的に決められた種類のＥＰＧ配信サービス（以下「ＥＰＧソース」と記述）から取得可能なＥＰＧデータと、受信可能な放送チャンネル群との組み合わせの範囲でしか番組表を取得できなかった。すなわち、ユーザは放送チャンネルごと、あるいは使用環境ごとに、所望とするＥＰＧソースを選ぶことができなかった。
【０００６】
本発明はこのような事情を鑑み、放送チャンネルごとにユーザの好みに合ったＥＰＧソースのＥＰＧデータからなる番組表を作成することのできる番組記録装置とその番組表作成方法を提供することを目的とする。
【課題を解決するための手段】
【０００７】
かかる目的を達成するために、本発明の番組記録装置は、複数の番組情報提供サービスから提供される番組情報を取得する取得手段と、取得した番組情報を記憶する記憶手段と、放送チャンネルごとの番組情報の提供元である番組情報提供サービスの割り当てを管理する管理手段と、管理手段による割り当ての内容に基づいて、記憶手段に記憶された番組情報から放送チャンネルごとに割り当てられた番組情報提供サービスの番組情報を取り出して番組表を作成する作成手段と、作成された番組表を表示する表示手段とを具備することを特徴とする。
【０００８】
また、この発明の番組記録装置において、管理手段は、放送チャンネルごとに複数の番組情報提供サービスを割り当てるとともに、これら複数の番組情報提供サービス間での優先順位を管理し、作成手段は、管理手段にて管理された優先順位に基づいて放送チャンネルごとに１つの番組情報提供サービスの番組情報を選択し、番組表を作成することを特徴とする。
【０００９】
さらに、この発明の番組記録装置において、作成手段は、優先順位に基づいて選択すべき番組情報提供サービスの番組情報が記憶手段に記憶されていない場合に、次に優先順位の高い番組情報提供サービスの番組情報を選択することを特徴とする。
【００１０】
さらに、この発明の番組記録装置は、優先順位をユーザからの指令に基づいて変更する変更手段をさらに具備することを特徴とする。
【発明の効果】
【００１１】
本発明の番組記録装置およびその番組表作成方法によれば、放送チャンネルごとにユーザの好みに合ったＥＰＧソースのＥＰＧデータからなる番組表を作成することができる。
【発明を実施するための最良の形態】
【００１２】
以下、図面を参照して本発明の実施の形態について説明する。
図１は、本発明の一実施形態に係る番組記録装置の構成を示すブロック図である。
同図に示すように、この実施形態の番組記録装置１００は、システム全体の制御を行うシステム制御部１を有している。システム制御部１はＣＰＵ２と、ファームウェアや各種データが固定的に格納されたＲＯＭ３と、ＣＰＵ２の作業エリアなどとして用いられるＲＡＭ４とを備える。システム制御部１には、バス５を通じて、ＥＰＧ管理部６、リモコンインタフェース部７、チューナ部８、情報記録再生部９、ＥＰＧ画面構成部１０、ネットワーク接続部１１などが接続されている。
【００１３】
ＥＰＧ管理部６は、ＥＰＧデータ取得部１２、ＥＰＧデータ記憶部１３、番組表作成部１４、番組表情報記憶部１５、チャンネル／ＥＰＧソース割当て管理テーブル（以下「管理テーブル」と記述）１６などを有している。ＥＰＧデータ取得部１２は、放送波により配信されるＥＰＧデータおよびインターネット上で提供されるＥＰＧデータをそれぞれ取得してＥＰＧデータ記憶部１３に記録する。管理テーブル１６は放送チャンネルごとのＥＰＧソース（番組情報提供サービス）の割り当てと割り当てられた複数のＥＰＧソース間での優先順位を管理するためのテーブルである。番組表作成部１４は管理テーブル１６の情報とＥＰＧデータ記憶部１３に記憶されたＥＰＧデータ（番組情報）とを用いてユーザに提供する番組表の情報を作成する。番組表情報記憶部１５は番組表作成部１４によって作成された番組表の情報を記憶する。
【００１４】
リモコンインタフェース部７は、ユーザからの指示を入力するためのリモートコントローラ（以下「リモコン」と記述）１７とのインタフェース部である。チューナ部８は、アンテナ１８などから取り込まれるディジタル放送の放送波から所望の放送波を選局する。また、ディジタル放送の放送波は、アンテナ１８から取り込まれるものに限られず、ケーブルテレビ局などからケーブルを介して取り込まれる。
【００１５】
逆多重化部１９は、放送波に多重化された音声信号、映像信号およびＥＰＧソース信号をそれぞれ分離して復号部２０へ出力する。復号部２０は、逆多重化部１９にて分離した音声信号、映像信号およびＥＰＧデータ信号をそれぞれ復号して、ディジタル音声信号、ディジタル映像信号およびディジタルＥＰＧデータ信号として出力制御部２１、情報記録再生部９およびバス５に出力する。ＥＰＧ画面構成部１０は、ＥＰＧ管理部６の番組表情報記憶部１５に格納された番組表の情報から番組表画面情報を構成したり、管理テーブル１６の内容などからチャンネル／ＥＰＧソース割当て確認画面を構成するなど、各種の画面を構成する手段である。出力制御部２１は、復号されたディジタル音声信号およびディジタル映像信号を出力用の音声信号および映像信号に変換する。音声出力部２２は出力制御部２１からの出力用の音声信号をスピーカなどの図示せぬ音声出力装置に出力する。画像出力部２３は出力制御部２１からの出力用の映像信号を例えば液晶ディスプレイなどの図示せぬ表示装置に出力する。
【００１６】
情報記録再生部９は、例えばハードディスクドライブ、ＤＶＤなどの書き替え可能な記録媒体を有し、復号部２０により復号されたディジタル音声信号およびディジタル映像信号を上記の記録媒体に記録したり、記録媒体に記録されたディジタル音声信号およびディジタル映像信号を再生して復号部２０に出力する。
【００１７】
ネットワーク接続部１１は、インターネット上に公開されたＥＰＧデータをダウンロードしたりするためにインターネットとの接続を行う手段である。
【００１８】
次に、この番組記録装置１００の動作を説明する。
【００１９】
この番組記録装置１００では、放送チャンネルごとに複数の種類のＥＰＧソースが割り当てられており、この割り当ての内容は複数の種類のＥＰＧソース間での優先順位とともに管理テーブル１６にて管理されている。
【００２０】
図２は管理テーブル１６の例を示す図である。ここではＥＰＧソースの例として、たとえばＡＤＡＭＳ−ＥＰＧ、ｉＮＥＴ−ＥＰＧ、ＤＩＧＩＴＡＬ−ＥＰＧなどを挙げているが、本発明はこれらのＥＰＧソースを採用することに限定されるものではない。この管理テーブル１６において、地上放送チャンネル”１”には、ＥＰＧソースとしてＡＤＡＭＳ−ＥＰＧ、ｉＮＥＴ−ＥＰＧの２つが割り当てられており、これら２つのＥＰＧソースの優先順位はＡＤＡＭＳ−ＥＰＧが１番、ｉＮＥＴ−ＥＰＧが２番とされている。また、ＢＳディジタル放送チャンネル”１２０”にはｉＮＥＴ−ＥＰＧ、ＤＩＧＩＴＡＬ−ＥＰＧが割り当てられ、これらの優先順位はＤＩＧＩＴＡＬ−ＥＰＧが１番、ｉＮＥＴ−ＥＰＧが２番とされている。この管理テーブル１６の設定内容は番組記録装置１００にデフォルトで用意されているが、ユーザが任意にその設定内容を変更することが可能である。その変更方法については後で述べる。
【００２１】
デフォルトでは、情報の精度などのメリットから放送波によるＥＰＧソースつまりＡＤＡＭＳ−ＥＰＧ、ＤＩＧＩＴＡＬ−ＥＰＧなどの優先順位をインターネットによるＥＰＧソースつまりｉＮＥＴ−ＥＰＧなどよりも高く設定してある。ただし、ｉＮＥＴ−ＥＰＧはＡＤＡＭＳ−ＥＰＧ、ＤＩＧＩＴＡＬ−ＥＰＧに比べ詳細であり、かつ長い日数分の番組情報をカバーしているので、この点を重視するユーザは、ｉＮＥＴ−ＥＰＧの優先順位をＡＤＡＭＳ−ＥＰＧ、ＤＩＧＩＴＡＬ−ＥＰＧよりも高くするように設定の変更を行うことができる。
【００２２】
また、この管理テーブル１６の他、たとえば、図３に示すように、ＥＰＧソースとチャンネルコードとの対応テーブルや、図示はしないがチャンネルとチャンネル名との対応テーブルなども、番組記録装置１００にあらかじめ用意されている。
【００２３】
次に、放送チャンネルごとのＥＰＧソースの割り当ておよびその優先順位の設定内容をユーザが確認したり、その設定内容を変更するためのインタフェースについて説明する。リモコン１７などを用いてユーザより、放送チャンネルごとのＥＰＧソースの割り当て画面の表示命令がシステム制御部１に与えられると、システム制御部１はＥＰＧ管理部６にその命令を渡す。ＥＰＧ管理部６はこの指令に従って管理テーブル１６の内容をＥＰＧ画面構成部１０に転送する。ＥＰＧ画面構成部１０は、管理テーブル１６の内容と、図３に示したＥＰＧソースとチャンネルコードとの対応テーブル、チャンネルとチャンネル名との対応テーブルなどを参照して、チャンネル／ＥＰＧソース割当て確認画面を構成する。構成されたチャンネル／ＥＰＧソース割当て確認画面の情報は出力制御部２１および画像出力部２３を通じて図示せぬ表示装置に表示される。
【００２４】
図４はチャンネル／ＥＰＧソース割当て確認画面２４の地上放送分の例を示す図である。  
このチャンネル／ＥＰＧソース割当て確認画面２４には、個々の放送チャンネルごとに、登録、ポジション、受信チャンネル（受信ＣＨ）、チャンネルロゴ（ＣＨロゴ）、表示チャンネル（表示ＣＨ）、チャンネルコード（ＣＨコード）、チャンネル名などの項目が設けられている。登録の項目には、上記した管理テーブル１６のデフォルトの内容を有効とするユーザからの指示によりチェック２５が入れられる。ポジションは、番組記録装置１００のリモコン１７のチャンネルボタン番号の割り当てである。受信チャンネル（受信ＣＨ）は放送チャンネルに割り当てられた番号である。チャンネルロゴ（ＣＨロゴ）は放送メディアの種類（地上放送、ＢＳディジタルなど）を識別するロゴマークである。表示チャンネル（表示ＣＨ）は識別表示用に短縮されたチャンネル名である。チャンネルコード（ＣＨコード）は放送チャンネルを指定するコードである。チャンネル名は正式な放送チャンネル名である。そして、チャンネル名の右端には、その放送チャンネルに割り当てられたＥＰＧソースのうち優先順位が最も高いＥＰＧソースの種類を示すロゴマーク２６が表示される。
【００２５】
また、チャンネル／ＥＰＧソース割当て確認画面２４の下部には、リモコン１７の操作ボタンに対応付けられた命令の内容をユーザに掲示するためのヘルプ情報２７が表示される。たとえば、リモコン１７の上下左右のカーソルボタンによって項目の選択を行うことができ、上下左右のカーソルボタンの間の決定ボタンを操作することでその選択内容を決定することなどがヘルプ情報２７により示されている。このヘルプ情報２７により示される操作要領で、ユーザは、たとえばチャンネル／ＥＰＧソース割当て確認画面２４の個々の放送チャンネルごとの登録の項目に選択的にチェック２５を入れることができる。登録の項目にチェック２５が入った放送チャンネルについては管理テーブル１６のデフォルト内容が有効となる。さらに、リモコン１７においてモードと書かれたボタンを押せば、選択中の放送チャンネルに対して割り当てられた複数のＥＰＧソース間の優先順位を変更することができる。たとえば、ある放送チャンネルにＡＤＡＭＳ−ＥＰＧとｉＮＥＴ−ＥＰＧが割り当てられ、ＡＤＡＭＳ−ＥＰＧの優先順位が高く設定されている場合に、モードボタンが一回押されると、それらの優先順位の関係が逆転し、チャンネル／ＥＰＧソース割当て確認画面に表示されるＥＰＧソースの種類を示すロゴマーク２６が、ＡＤＡＭＳ−ＥＰＧからｉＮＥＴ−ＥＰＧに変更される。チャンネル／ＥＰＧソース割当て確認画面２４に所望のロゴマーク２６が現れたところで、上記の決定ボタンを押すことで、取得先のＥＰＧソースの更新内容が有効となって、管理テーブル１６にその更新内容が反映されるようになっている。
【００２６】
次に、ＥＰＧデータを取得する動作について説明する。  
ＥＰＧデータの取得手順には、放送波から取得する手順とインターネット上から取得する手順の２つがある。ＥＰＧデータが放送される時間帯は決められている。ＥＰＧ管理部６のＥＰＧデータ取得部１２はＥＰＧデータの放送時間になると、チューナ部８を制御してＥＰＧデータを含む放送波を選局する。チューナ部８より出力されたＥＰＧデータを含む信号は、暗号の解除が行われた後、逆多重化部１９にて音声信号、映像信号およびＥＰＧデータ信号に分離される。分離されたＥＰＧデータ信号は復号部２０にてディジタル信号に復調され、ＥＰＧ管理部６に送られる。ＥＰＧ管理部６のＥＰＧデータ取得部１２は取得したＥＰＧデータをＥＰＧデータ記憶部１３に記憶する。また、インターネット上のＥＰＧデータを取得する場合には、ＥＰＧ管理部６のＥＰＧデータ取得部１２は、インターネット上のＥＰＧ配信サービスを行うサーバに向けて、ネットワーク接続部１１を通じてＥＰＧデータのリクエストを送信することで、ＥＰＧデータをダウンロードする。ダウンロードされたＥＰＧデータはＥＰＧ管理部６のＥＰＧデータ記憶部１３に記憶される。
【００２７】
次に、ＥＰＧデータ記憶部１３に記憶されたＥＰＧデータから、上記の管理テーブル１６に基づいて番組表を作成する動作を説明する。
【００２８】
図５は番組表の作成動作を示すフローチャートである。例として、２８日分の番組表を作成するものとする。この２８日という日数はデフォルトであり、ユーザはその他の日数に変更することができる。
【００２９】
ＥＰＧ管理部６の番組表作成部１４は、番組表の作成命令を受けると、管理テーブル１６の先頭（チャンネル番号”１”）の内容を読み込み、その放送チャンネルに割り当てられている複数の種類のＥＰＧソースとこれら複数の種類のＥＰＧソース間での優先順位を確認する。チャンネル番号”１”に割り当てられたＥＰＧソースはＡＤＡＭＳ−ＥＰＧ、ｉＮＥＴ−ＥＰＧであり、これら２つのＥＰＧソースの優先順位はＡＤＡＭＳ−ＥＰＧが１番、ｉＮＥＴ−ＥＰＧが２番である。そこで番組表作成部１４は、ＥＰＧデータ記憶部１３に記憶されているＡＤＡＭＳ−ＥＰＧのＥＰＧデータから、チャンネル番号”１”に関するもので、かつ２８日間の第１日目の日付のＥＰＧデータを検索し（ステップ５０３）、これを番組表を構成する一部の情報として番組表情報記憶部１５に記録する（ステップ５０５）。ここで、電波状況などによりＡＤＡＭＳ−ＥＰＧのＥＰＧデータの取得に失敗し、ＥＰＧデータ記憶部１３に必要なＥＰＧデータが記憶されていない場合がある。この場合（ステップ５０３のＮＯ）、番組表作成部１４は、優先順位が２番目であるｉＮＥＴ−ＥＰＧのＥＰＧデータから、チャンネル番号”１”に関するもので、かつ２８日間の第１日目の日付のＥＰＧデータを検索し（ステップ５０４）、該当するＥＰＧデータの検索に成功したら（ステップ５０４のＹＥＳ）、そのＥＰＧデータを番組表情報記憶部１５に記録する（ステップ５０５）。ここでもしチャンネル番号”１”に割り当てられたどの種類のＥＰＧソースからも該当するＥＰＧデータを検索できなかった場合には(ステップ５０４のＮＯ)、第１日目の日付のデータは無しとする(ステップ５０６)。
【００３０】
次に、同チャンネル番号”１”について、２８日間の第２日目の日付のＥＰＧデータの検索を上記と同様に行い、これを２８日分繰り返す。これによって、チャンネル番号”１”に関する２８日間分の番組情報を番組表情報記憶部１５に記録する。続いて、管理テーブル１６の次のチャンネル番号（チャンネル番号”３”）についても同様に、その放送チャンネルに割り当てられたＥＰＧソース間の優先順位に従って２８日間分のＥＰＧデータを検索して番組表情報記憶部１５に記録する。このようにして管理テーブル１６に登録されているすべてのチャンネル番号について番組情報を検索して番組表情報記憶部１５に記録して行く。
【００３１】
リモコン１７などを用いてユーザより番組表の表示命令が入力されると、番組表情報記憶部１５に記憶された各放送チャンネルの番組情報はＥＰＧ画面構成部１０に送られ、ＥＰＧ画面構成部１０は、入手した番組情報から番組表の画面情報を構成する。構成された番組表の画面情報は出力制御部２１および画像出力部２３を通じて図示せぬ表示装置に表示される。
【００３２】
その後、ユーザは、表示装置に表示された番組表を参照し、リモコン１７などを用いて放送チャンネルや番組の選局、録画設定などを行うことができる。システム制御部１は、録画設定に基づいて録画処理を実行する。すなわち、システム制御部１は、録画予約された番組の放送時刻になると放送チャンネルの選局をチューナ部８に指示する。この指示に従ってチューナ部８にて選局された放送信号は、暗号が解除された後、逆多重化部１９により音声信号、映像信号などに分離され、復号部２０にてそれぞれディジタル音声信号、ディジタル映像信号とされ、情報記録再生部９にて記録媒体に記録される。
【００３３】
以上説明したように、この実施形態の番組記録装置１００によれば、放送チャンネルごとにユーザの好みに合ったＥＰＧソースからのＥＰＧデータを集めた番組表を作成することができる。また、もしも一方のＥＰＧソースのＥＰＧデータを取得できない場合には、別のＥＰＧソースのＥＰＧデータで番組表を埋めることができ、番組表を確保することができる。
【００３４】
なお、本発明は、上述の図示例にのみ限定されるものではなく、本発明の要旨を逸脱しない範囲内において種々変更を加え得ることは勿論である。
【図面の簡単な説明】
【００３５】
【図１】本発明の一実施形態に係る番組記録装置の構成を示すブロック図である。
【図２】図１の管理テーブルを示す図である。
【図３】ＥＰＧソースとチャンネルコードとの対応テーブルの例を示す図である。
【図４】チャンネル／ＥＰＧソース割当て確認画面を示す図である。
【図５】番組表の作成動作を示すフローチャートである。
【符号の説明】
【００３６】
１…システム制御部、６…ＥＰＧ管理部、８…チューナ部、９…情報記録再生部、１０…ＥＰＧ画面構成部、１１…ネットワーク接続部、１２…ＥＰＧデータ取得部、１３…ＥＰＧデータ記憶部、１４…番組表作成部、１５…番組表情報記憶部、１６…管理テーブル、１００…番組記録装置。
【図１】
2006080799.tif 000003
【図２】
2006080799.tif 000004
【図３】
2006080799.tif 000005
【図４】
2006080799.tif 000006
【図５】
2006080799.tif 000007